(57)【要約】　　　（修正有）【課題】野球のバッティング練習時に着用する５本指のバッティング練習用グローブにおいて、バッティング又は素振り練習時に着用することで無理なくグリップ力を高めることができるようにする。【解決手段】グローブ１の中指、薬指及び小指が挿入される指収容部１３〜１５の指の腹側に、ネオプレン素材からなるシート部材３を指に沿って添着させる。グリップ力に重要な上記３本の指に継続的に小さな負荷を与えることができ、効率よくグリップ力を高めることができる。【選択図】図２
0003098802.tif 000002
【実用新案登録請求の範囲】
【請求項１】
野球のバッティング練習時に着用する５本指のバッティング練習用グローブにおいて、
中指、薬指及び小指が挿入される指収容部の指の腹側に、ネオプレン素材からなるシート部材が指に沿って添着されていることを特徴とするバッティング練習用グローブ。
【請求項２】
請求項１に記載のバッティング練習用グローブにおいて、
前記シート部材は、前記指収容部の内側に縫い付けられていることを特徴とするバッティング練習用グローブ。
【請求項３】
請求項１又は２に記載のバッティング練習用グローブにおいて、
前記シート部材は、前記指挿入部の先端部には添着されていないことを特徴とするバッティング練習用グローブ。
【請求項４】
請求項１から３のいずれかに記載のバッティング練習用グローブにおいて、
前記シート部材は、挿入時に指の第１指関節及び第２指関節が位置する箇所に指関節に沿って縫い目が形成されていることを特徴とするバッティング練習用グローブ。
【請求項５】
請求項４に記載のバッティング練習用グローブにおいて、
前記第１指関節及び第２指関節が位置する箇所には、標準的な指関節の位置に形成される縫い目と、前記標準的な縫い目の先端側及び基端側に所定の間隔を空けてそれぞれ形成される縫い目との計３本の縫い目が形成されていることを特徴とするバッティング練習用グローブ。
【考案の詳細な説明】
【０００１】
【考案の属する技術分野】
本考案は、野球のバッティング練習用グローブに関する。特に、グリップ力を向上させることができるバッティング練習用グローブに関する。
【０００２】
【従来の技術】
野球のバッティングにおいて打率及び飛距離を伸ばすためには、ボールを見極める選球眼と共にバットを速く且つ正確に振ることができるスイング力が必須である。特に、ボールの球威を受止めてより遠くへ跳ね返すためには、インパクトの瞬間にバットの芯がブレないようにしっかりとグリップすることが重要である。
【０００３】
このときのグリップ力に重要な役割を果たすのがグリップエンド側に位置する手の中指，薬指，小指の３本であり、この３本の指でバットをしっかりとグリップし、残りの手及び指はバットの高さやスイングスピード等をボールに合わせて自由に調整できるように軽く添わせてバットを握るのが基本とされている。
【０００４】
そのため、野球選手の多くは、バットを用いたバッティングや素振りに加えて、グリップエンド側に位置する中指，薬指，小指３本のグリップ力を向上させるためにハンドグリップなどのトレーニング器具による握力トレーニングを行なっている。
【０００５】
【考案が解決しようとする課題】
しかしながら、野球は走攻守のバランスが必要な競技であり、バッティング練習だけではなく守備や走塁についても十分な練習が必要である。そのため、バッティングや素振りに加えて十分な握力トレーニングを行なうことは選手にとって時間的・体力的にも厳しいものがある。
また、過剰な素振りや握力トレーニングによって腱鞘炎や手のマメが潰れるなどのトラブルが生じて試合でのバッティングに影響を及ぼすこともある。
【０００６】
本考案は、上記事情を鑑みてなされたものであり、『野球のバッティング練習時に着用する５本指のバッティング練習用グローブ』において、バッティング又は素振り練習時に着用することで無理なくグリップ力を高めることができることを課題とする。
【０００７】
【課題を解決するための手段】
請求項１の考案は、『中指、薬指及び小指が挿入される指収容部の指の腹側に、ネオプレン素材からなるシート部材が指に沿って添着されている』ことを特徴としている。
これによれば、本考案のバッティング練習用グローブを着用してバットを握るとき、指によって指収容部に添着されたシート部材を弾性変形させる必要があるから、前記中指，薬指及び小指の３本に負荷がかかることとなる。
【０００８】
また、弾性の高いネオプレン素材が指とバットの間に介在されることで、バッティング又は素振りの衝撃が前記シート部材に吸収されて指が保護されるから前記３本の指が受けるダメージが少ない。
【０００９】
請求項２の考案は、『前記シート部材は、前記指収容部の内側に縫い付けられている』ので、繰返し使用や洗濯などによりシート部材が剥がれにくく、外側に添着されるものよりもグローブの外観がよい。
【００１０】
請求項３の考案は、『前記シート部材は、前記指挿入部の先端部には添着されていない』ことを特徴とするので、前記シート部材の先端部が指先よりも短く、バットを握るときに前記指によって前記シート部材全体を握り込むことができるから、先端部の余剰なシート部材が原因でバットが握りにくかったり、グリップ時に違和感が生じることが防止される。
【００１１】
請求項４の考案は、『前記シート部材は、挿入時に指の第１指関節及び第２指関節が位置する箇所に指関節に沿って縫い目が形成されている』ことを特徴とする。前記シート部材はネオプレン素材であるから縫い目の形成により圧縮されて部分的に薄肉となり、前記縫い目が形成された部分で折れ曲がりやすくなる。
【００１２】
前記縫い目は指関節の位置に形成されており、バットを握るときに前記シート部材が指関節に合わせて折り曲げられるから、前記シート部材の添着による違和感が少なく使用感がよい。
【００１３】
請求項５の考案は、『前記第１指関節及び第２指関節が位置する箇所には、標準的な指関節の位置に形成される縫い目と、前記標準的な縫い目の先端側及び基端側に所定の間隔を空けてそれぞれ形成される縫い目との計３本の縫い目が形成されている』ことを特徴とする。第１及び第２指関節には、標準的な指関節の位置を中心に計３本の縫い目が形成されているから、着用者の指が標準よりも長い又は短い場合に、前記先端側及び基端側の縫い目部分で前記シート部材を折り曲げることができる。これより、着用者の指の長さに関係なく、前記シート部材の添着による違和感が少なく使用感よく利用することができる。
【００１４】
【考案の効果】
上記のような構成であるから本考案は次の特有の効果を有する。
請求項１の考案によれば、中指、薬指及び小指の３本が挿入される指収容部の指の腹側にシート部材が添着されているので、通常のバッティングや素振り練習時に着用することでグリップ力に重要な前記３本の指に継続的に小さい負荷を与えることができる。
そのため、通常のバッティング又は素振り練習時に本考案のバッティング練習用グローブを着用することにより、無理なく且つ効率よくグリップ力を高めることができる。
また、前記シート部材によって前記３本指が保護されるから、長時間の練習をしても手が痛くなりにくく手にマメもできにくい。
【００１５】
請求項２の考案によれば、指収容部の内側にシート部材が縫い付けられているので、前記シート部材が剥がれにくく、グローブの外観もよい。
【００１６】
請求項３の考案によれば、指挿入部の先端部にシート部材を添着させないので、余剰なシート部材が原因でバットが握りにくかったり、グリップ時に違和感が生じることが防止される。
【００１７】
請求項４の考案によれば、シート部材の第１指関節及び第２指関節の位置に縫い目を形成していることで、前記シート部材が指関節に合わせて折り曲げることができるから、前記シート部材の添着による違和感が少なく使用感がよい。
【００１８】
請求項５の考案によれば、標準的な指関節の位置に形成される縫い目に加えて、先端側及び基端側にも縫い目を形成させることで、着用者の指の長さに関係なく、前記シート部材の添着による違和感が少なく使用感よく利用することができる。
【００１９】
【考案の実施の形態】
以下に、本考案の実施の形態について添付図面を参照しながら詳述する。
本考案実施の形態の一例である野球用のバッティング練習用グローブを図１に示している。
この例のものは、ナイロン製の合成皮革材と、手の甲部分の通気性及び装飾性を考慮して用いられるポリウレタン混合の柔かいナイロン生地とからなる５本指のグローブであり、手首部分６にはグローブの脱落を防止するためのマジックテープが取り付けられている。
【００２０】
５本指がそれぞれ挿入される指収容部１１〜１５のうち、中指，薬指及び小指を収容する中指収容部１３，薬指収容部１４，小指収容部１５には、図２に示されるように、各指の腹と接触する裏地１６にネオプレン素材からなるの長方形状のシート部材３が添着されている。また、前記シート部材３は、グローブ１を構成している合成皮革材からなる表皮材１０と同素材からなる被覆材２によって全体を覆われている。
【００２１】
前記ネオプレン素材とは、ポリクロロプレンからなる機能性の高い合成ゴムであり、同様な機能を有しているＥＶＡ（Ｅｔｈｙｌｅｎｅ−Ｖｉｎｙｌ　Ａｃｅｔａｔｅ）よりも柔軟性及びフィット感が高いことから、ダイビングスーツをはじめ様々な製品に広く利用されているものである。
【００２２】
前記シート部材３は、図２に示されるように、前記指収容部１３〜１５よりも横幅及び長さとも小さい長方形状の一枚板であり、前記指収容部１３〜１５の先端部の所定範囲Ｓには前記シート部材３が存在しないように、基端側に寄せて添着されている。前記シート部材３は、前記指収容部１３〜１５の裏地１６に被覆材２とを重ね合わせて縫い目４１で縫合することにより指の腹側に形成される袋状の空間に基端側から挿入した後、その口部を縫い目４２で縫合することにより各指収容部１３〜１５に添着されている。
【００２３】
この例のシート部材３は、横幅が１２〜１５ｍｍであり、肉厚が３ｍｍ程度であり、前記所定範囲Ｓは指収容部１３〜１５の先端から１０〜１５ｍｍ程度となるように設定されている。
【００２４】
前記指収容部１３〜１５には、図２及び図３に示されるように、前記指収容部１３〜１５に挿入される指の第１指関節及び第２指関節の位置４に縫い目４０，４３が形成されており、この縫い目４０，４３の形成によって前記シート部材３は前記表皮材１０に固定されている。前記縫い目４０，４３は、着用対象者の標準的な指の長さから想定される指関節の位置に形成される標準的な縫い目４０と、この縫い目４０の先端側と基端側それぞれに所定の間隔を空けて平行に形成される縫い目４３との計３本からなっている。
【００２５】
このような構成であるから、この例のバッティング練習用グローブを着用してバットを握るとき、中指，薬指及び小指の３本には指収容部１３〜１５に添着された前記シート部材３を弾性変形する力が必要となるから、バットを握っている間は常に前記３本の指に負荷がかかることとなる。そのため、通常のバッティングや素振り練習時にこのグローブ１を着用することにより、グリップ力に重要な前記３本の指に継続的に小さな負荷を与えて、握力トレーニングなしに無理なく且つ効率よくグリップ力を高めることができる。
【００２６】
また、前記シート部材３は柔軟性の高いネオプレン素材であるから、指にかかる負担が小さいと共にバッティング又は素振りの衝撃が吸収されてバットを握る指へのダメージが少ない。そのため、長時間にわたる練習によって手が痛くなりにくいと共に指にマメができるのが防止される。
【００２７】
この例のものでは、第１指関節及び第２指関節の位置４に形成された３本の縫い目４０，４３の形成により、図３に示されるように、前記シート部材３が圧縮されて部分的に薄肉となっている。これより、バットを握るとき、前記シート部材３が自然に指関節に一致する形に折り曲げられるため、前記シート部材の添着による違和感が少なく使用感がよい。また、標準的な指関節に位置する縫い目４０に加えて先端側及び基端側にも縫い目４３を形成しているから、着用者の指が標準よりも短い場合も長い場合にも対応することができ、指の長さに関係なく使用感がよく利用することができる。
【００２８】
また、指収容部１３〜１５の先端部に前記シート部材３が添着されていないから、図３に示されるように、前記シート部材３が指よりも短くバットを握ると確実に手の平側に巻き込むことができる。そのため、巻き込み損なった前記シート部材３の余剰部分が原因でバットが握りにくかったり、グリップ時に違和感が生じることが防止される。
【００２９】
また、この例では、前記シート部材３を指収容部１３〜１５の内側に添着させると共に被覆材２によって覆っているから、繰り返し使用や洗濯によりシート部材３が剥がれにくいと共に使用感がよい。また、図１に示されるように、グローブ１の表側は通常のものと変りがないから外観がよい。
【００３０】
＊その他
本考案のバッティング練習用グローブは、上記実施の形態に限られるものではない。
上述の例では、一枚板のシート部材３に３本の縫い目４０，４３を形成させることでバットを握るときに容易に折れ曲がるようにしているが、第１及び第２指関節の位置４で間隔を空けるように複数の短いシート部材を直列に配置させたものであってもよい。また、前記シート部材３の形状も長方形に限られるものではない。
【００３１】
上述のシート部材３は、前記指収容部１３〜１５よりも少し短い長さを有し、その先端が各指収容部１３〜１５の第１指関節と先端との間にくるように添着されているが、前記第１指関節よりも先端側に前記シート部材３を添着しないものであってもよい。また、前記シート部材３を指収容部１３〜１５の内側に添着しているが、前記指収容部１３〜１５の外側、つまり、前記表皮材１０の表面に添着するものであってもよい。
【００３２】
上述の例では、各指収容部１３〜１５の第１及び第２指関節位置４には３本の縫い目４０，４３が形成されているが、着用対象者の標準的な指関節位置に１本だけ縫い目４０を形成するものであっても、標準位置を基準にして２本の縫い目４３を形成するものであってもよい。
【００３３】
また、バッティング又は素振り練習によりマメができることを防止するのために、親指収容部１１や人差し指収容部１２にも、同様にシート部材３を添着するものであってもよい。
【図面の簡単な説明】
【図１】本考案実施の形態におけるバッティング練習用グローブを示す正面図である。
【図２】バッティング練習用グローブの裏面及びシート部材の添着状態について示す説明図である。
【図３】中指収容部に指が挿入された状態を示す断面図である。
【符号の説明】
（１）・・・バッティング練習用グローブ
（１１）〜（１５）・・・指収容部
（３）・・・シート部材
（４）・・・指関節の位置
（４０）（４２）（４３）・・・縫い目
（５）・・・薬指
（Ｓ）・・・所定範囲
【図１】
0003098802.tif 000003
【図２】
0003098802.tif 000004
【図３】
0003098802.tif 000005